(57)【特許請求の範囲】
【請求項１】
建物の基礎上に形成される床部の防蟻を行う防蟻工法であって、
前記基礎の立ち上がり部の側面間の寸法よりも大きい長さ寸法を有する防蟻シートを前記側面間に跨るように前記立ち上がり部の上面に仮止めする工程と、
前記防蟻シートが仮止めされている前記立ち上がり部の上面に前記床部を設ける工程と、
前記床部上に外壁部を設置する工程と、
前記基礎のうち前記建物の外周部に配置される基礎の屋外側にはみ出した前記防蟻シートの屋外側端部を立ち上げて前記外壁部に固定する工程と、
前記防蟻シートの屋内側端部を前記床部の下面に固定する工程と、
前記防蟻シートの屋外側端部を前記外壁部に固定する工程の後、前記外壁部に取り付けられる防水性のシートにより、前記防蟻シートの屋外側端部上端を覆う工程と、
前記防蟻シートの屋外側端部上端よりも下方の前記防蟻シート上に、防蟻用返しが形成された水切りを取り付ける工程とを備えていることを特徴とする防蟻工法。
【請求項２】
建物の基礎上に形成される床部の防蟻を行う防蟻構造であって、
前記床部と前記基礎の立ち上がり部との間には、立ち上がり部の側面間の寸法よりも大きい長さ寸法を有する防蟻シートが設けられ、
前記基礎のうち前記建物の外周部に配置される基礎の屋外側にはみ出した前記防蟻シートの屋外側端部は、前記床部の上面に設けられた外壁部に固定され、
前記防蟻シートの屋内側端部は前記床部の下面に固定され、
前記外壁部には、前記防蟻シートの屋外側端部上端を覆う防水性のシートが設けられ、
前記防蟻シートの屋外側端部上端よりも下方の前記防蟻シート上には、防蟻用返しが形成された水切りが設けられていることを特徴とする防蟻構造。
【発明の詳細な説明】
【０００１】
【発明の属する技術分野】
本発明は、白蟻から住宅等の建物を守る防蟻工法及び防蟻構造に関する。
【０００２】
【背景技術】
従来から、住宅等の建物において、土台、床材等の木材の白蟻による被害を防止すべく、基礎が設けられた土壌に白蟻が忌避する薬剤を散布したり、建物の一階床部の下面に白蟻が忌避する薬剤が含浸された防蟻シートを取り付けたりする防蟻処理が行われている（特許文献１参照）。
【特許文献１】
特開平１０−８８６８３号公報
【０００３】
【発明が解決しようとする課題】
しかし、前者のような防蟻処理は、土壌に薬剤を散布しているため、薬剤の蒸発による薬効の低下が起こりやすく、十分な防蟻効果を発揮することができないことがある。これに対し、防蟻シートを用いて床面全体を覆えば、このような問題は解決できるものの、在来工法においては、土台、根太を配設しながら、防蟻シートの取り付けを行うため、施工が煩雑であるという問題が生じる。また、パネル工法の床部では、パネル下面に予め防蟻シートを貼り付けておくことができるが、パネル間のジョイント部分に防蟻処理が必要となるため、施工が煩雑となる。
【０００４】
本発明の目的は、建築現場における施工性を向上することができ、十分な防蟻効果を確保することができる防蟻工法及び防蟻構造を提供することである。
【０００５】
【課題を解決するための手段】
そのため、本発明は以下の構成を採用して前記目的を達成しようとするものである。
請求項１記載の発明は、建物２，２Ｂの基礎上に形成される床部２２の防蟻を行う防蟻工法であって、前記基礎の立ち上がり部２１１の側面間の寸法よりも大きい長さ寸法を有する防蟻シート１１，１１Ａを前記側面間に跨るように前記立ち上がり部の上面に仮止めする工程と、前記防蟻シートが仮止めされている前記立ち上がり部の上面に前記床部を設ける工程と、前記床部上に外壁部２３を設置する工程と、前記基礎のうち前記建物の外周部に配置される基礎２１の屋外側にはみ出した前記防蟻シートの屋外側端部１１１，１１１Ａを立ち上げて前記外壁部に固定する工程と、前記防蟻シートの屋内側端部１１２を前記床部の下面に固定する工程と、前記防蟻シートの屋外側端部を前記外壁部に固定する工程の後、前記外壁部に取り付けられる防水性のシート２３１により、前記防蟻シートの屋外側端部上端を覆う工程と、前記防蟻シートの屋外側端部上端よりも下方の前記防蟻シート上に、防蟻用返し１２２が形成された水切り１２を取り付ける工程とを備えていることを特徴とする。
【０００６】
ここで、防蟻シートは防蟻用の薬剤が含浸されたものであり、薬剤としては、例えば、植物抽出成分であるフィトンチッド等を使用したものや、シラフルオフェンを主成分するものがある。
また、防蟻シートの屋外側端部の外壁部への固定は、具体的にはサイディング材等の外壁仕上げ材と、この外壁仕上げ材を取り付ける外壁下地材との間に防蟻シートの屋外側端部を挿入し、外壁下地材にくぎ等で固定することが可能である。
さらに、ここで床部とは、床材と根太のみあるいは床パネルのみを意味するのではなく、土台や半土台をも含むものである。
また、防水性のシートとしては、外装通気工法等で用いられる透湿性防水シート等を採用することが考えられる。
【０００７】
この構成の本発明では、防蟻シートを立ち上がり部の上面に仮止めした後に、床部を設けているため、土台、根太を基礎上に配設しながら防蟻シートを取り付ける必要がなく、防蟻シートの取り付けに手間を要しない。また、防蟻シートの屋外側端部を外壁部に固定することにより、外壁部の下端部及び床部の側面を防蟻シートで覆うことができるので、床部への白蟻の侵入を確実に防止することができ、床部が保護される。
さらに、防蟻シートの屋外側端部を外壁部、例えば、外壁下地材に固定し、外壁仕上げ材を設けることで、防蟻シートに直接雨水があたることがなくなるため、防蟻シートに含浸された薬剤が溶出することがなく、防蟻シートの効果の持続時間をより長く保つことができる。
【０００８】
また、防蟻シートの屋内側端部を床部の下面に固定することで、床部の端縁が防蟻シートで覆われ、白蟻が屋内側の地面から基礎の立ち上がり部をつたって床部へ至る経路を遮断することができ、床部を白蟻から守ることができる。
また、床部の側面及び床部の下面の一部を直接防蟻シートで覆うこととなるため、床部が確実に保護される。
【０００９】
また、防蟻シートの屋外側端部は防水性のシートで覆われているため、この端部と外壁部との隙間から雨水が浸入することがない。
また、防蟻用返しが形成されている水切りを取り付けるため、基礎の立ち上がり部をつたって床部へ侵入しようとする白蟻は、この防蟻用折り返しを越えて侵入することができず、床部をより確実に白蟻から保護することができる。
【００１０】
請求項２記載の発明は、建物２の基礎上に形成される床部２２の防蟻を行う防蟻構造１，１Ａ，１Ｂ，１Ｃ，１Ｄであって、前記床部と前記基礎の立ち上がり部２１１との間には、立ち上がり部の側面間の寸法よりも大きい長さ寸法を有する防蟻シート１１，１１Ａが設けられ、前記基礎のうち前記建物の外周部に配置される基礎の屋外側にはみ出した前記防蟻シートの屋外側端部１１１，１１１Ａは、前記床部の上面に設けられた外壁部２３に固定され、前記防蟻シートの屋内側端部１１２は前記床部の下面に固定され、前記外壁部には、前記防蟻シートの屋外側端部上端を覆う防水性のシート２３１が設けられ、前記防蟻シートの屋外側端部上端よりも下方の前記防蟻シート上には、防蟻用返し１２２が形成された水切り１２が設けられていることを特徴とする。
【００１１】
この構成の発明では、防蟻シートの屋外側端部を前記外壁部に固定しているため、外壁の下端部及び床部の側面を防蟻シートで覆うことができるので、床部への白蟻の侵入を確実に防止することができ、床部が保護される。
さらに、防蟻シートの屋外側端部を外壁部、例えば、外壁下地材に固定し、外壁仕上げ材を設けることで、防蟻シートに直接雨水があたることがなくなるため、防蟻シートに含浸された薬剤が溶出することがなく、防蟻シートの効果の持続時間をより長く保つことができる。
【００１２】
また、防蟻シートの屋内側端部を床部の下面に固定することで、床部の端縁が防蟻シートで覆われ、白蟻が屋内側の地面から基礎の立ち上がり部をつたって床部へ至る経路を遮断することができ、床部を白蟻から守ることができる。
また、床部の側面及び床部の下面の一部を直接防蟻シートで覆うこととなるため、床部が確実に保護される。
【００１５】
また、防蟻シートの屋外側端部は防水性のシートで覆われているため、この端部と外壁部との隙間から雨水が浸入することがない。
また、水切りに防蟻用返しが形成されているため、基礎の立ち上がり部をつたって床部へ侵入しようとする白蟻は、この防蟻用折り返しを越えて侵入することができず、床部をより確実に白蟻から保護することができる。
【００１６】
【発明の実施の形態】
以下、本発明の第一実施形態を図１から図４に基づいて説明する。
図１には、建物２の外周部に配置される基礎２１及び床部２２が示されている。
建物２は床、壁、屋根等をパネルを用いて施工するパネル工法で構築されたものであり、各パネルは桟材を枠組みすることにより枠体を形成し、この枠体の少なくとも一方の面に合板等の面材を貼設することにより形成されたものである。
【００１７】
建物２の基礎２１は、地盤に埋め込まれるフーチング部２１２と、このフーチング部２１２から上方に突出する立ち上がり部２１１とを有している。
立ち上がり部２１１内部には、その上部が立ち上がり部２１１の上面から突出するアンカーボルト２１３が埋設されている。また、立ち上がり部２１１には、通気孔２１５が形成されており、立ち上がり部２１１上の床部２２の下方の空間の通気が可能な構造となっている。
【００１８】
基礎２１上の立ち上がり部２１１の上面に台輪２１４が載せられたうえで、立ち上がり部２１１の上面の屋内側半分には、床パネル２２０が載置され、屋外側半分には、半土台２４が載置されている。なお、床パネル２２０は、枠体２２４と面材２２５とを含んで構成されている。これにより床部２２が形成される。
半土台２４及び床パネル２２０には、その接合面に横断面半円状の切り欠きが形成されており、床パネル２２０と半土台２４とを接合した際に前記切り欠きによって形成される孔にアンカーボルト２１３が挿通されている（図２参照）。
【００１９】
床部２２の床パネル２２０及び半土台２４の上部には、外壁部２３が設けられている。外壁部２３は、外壁下地材となる外壁パネル２３０と、外壁パネル２３０に固定され、外装仕上げ材となるサイディング材２３２とを有する。
サイディング材２３２は、外壁パネル２３０上に所定ピッチで設けられた縦桟の上に取り付けられており、外装通気工法が採用されている。また、外壁パネル２３０と縦桟との間には透湿防水性のシート２３１が設けられている。
外壁部２３の外壁パネル２３０の下部の芯材２３３にアンカーボルト２１３が挿通され、ナットを螺合して締め付けることで外壁パネル２３０、床パネル２２０及び半土台２４が固定される。
【００２０】
このような建物２の基礎２１及び床部２２には、床部２２を白蟻の被害から防止すべく防蟻シート１１を用いた防蟻構造１が設けられている。
防蟻シート１１は防蟻用の薬剤をフェルト、不織布等のシートに含浸させたものであり、薬剤としては、例えば、植物抽出成分であるフィトンチッド等を使用したものや、シラフルオフェンを主成分するものが好ましい。
【００２１】
この防蟻シート１１は、立ち上がり部２１１上面に設けられた台輪２１４と床部２２の下面との間に設置されており、基礎２１の立ち上がり部２１１の側面側に位置する防蟻シート１１の端縁間の長さ寸法は、立ち上がり部２１１の側面間の寸法よりも大きい長さ寸法、例えば、１００ｃｍ程度の長さ寸法となっている。また、この防蟻シート１１は基礎２１の全長にわたって配置されている。
【００２２】
基礎２１の立ち上がり部２１１の屋外側にはみ出した防蟻シート１１の屋外側端部１１１は、外壁部２３の外壁パネル２３０に貼り付けられ、くぎにより固定されている。また、防蟻シート１１の屋内側端部１１２は床部２２の面材２２５下面に貼り付けられ、固定されている。
【００２３】
なお、図示しないが、防蟻シート１１は建物２の外周部に配置される基礎２１だけでなく、他の部分に配置される基礎にも取り付けられており、この他の部分に配置される基礎に取り付けられた防蟻シート１１の両端部は、床パネル２２０の面材２２５下面に貼り付けられ、固定されている。
【００２４】
外壁部２３の外壁パネル２３０に貼り付けられた防蟻シート１１の屋外側端部１１１の上端は、外壁パネル２３０に取り付けられる透湿防水性のシート２３１により覆われている。
また、防蟻シート１１の屋外側端部１１１の上端よりも下方の防蟻シート１１上には、断面Ｌ字形の水切り部１２１と、その端部を下方に折り曲げた防蟻用返し１２２とから構成される水切り１２が取り付けられている。
さらに、防蟻シート１１の屋外側端部１１１は前述した外壁部２３のサイディング材２３２によって覆われている。
【００２５】
次に、図２から図４を用いて、防蟻構造１の施工方法について説明する。
まず、予め基礎２１の立ち上がり部２１１に台輪２１４を載置しておき、防蟻シート１１にアンカーボルト２１３を貫通させ、立ち上がり部２１１の上面に防蟻シート１１を仮止めする。次に、立ち上がり部２１１の屋外側半分に半土台２４を設置する（図２（Ａ））。
さらに、立ち上がり部２１１の上面の屋内側半分に床パネル２２０を設置し、床部２２を形成する（図２（Ｂ））。
【００２６】
外壁部２３の外壁パネル２３０の芯材２３３にアンカーボルト２１３を貫通させ、外壁パネル２３０を床部２２の上部に設置する（図３（Ｃ））。
アンカーボルト２１３にナットを螺合して締め付け、外壁パネル２３０、床パネル２２０及び半土台２４を固定する。防蟻シート１１の屋外側端部１１１を立ち上げて外壁部２３に固定し釘打ちする。防蟻シート１１の屋内側端部１１２を立ち上げて床部２２の面材２２５下面に貼り付ける（図３（Ｄ））。
【００２７】
外壁パネル２３０に防水透湿性のシート２３１を貼り付け、防蟻シート１１の屋外側端部１１１の上端を覆う（図４（Ｅ））。
さらに、防蟻シート１１の屋外側端部１１１の上端より下方に水切り１２を取り付ける。また、縦桟を防水透湿性のシート２３１を介して外壁パネル２３０に取り付け、最後に、この縦桟にサイディング材２３２を固定する（図４（Ｆ））。
【００２８】
従って、第一実施形態によれば、以下の効果を奏することができる。
（１）防蟻シート１１にアンカーボルト２１３を貫通し、立ち上がり部２１１の上面に仮止めした後に、床部２２を設置しているため、床部２２を設置した後に基礎２１や床部２２の下面に防蟻シート１１を取り付ける場合に比べ、防蟻シート１１の取り付けに手間を要さず、防蟻構造１の施工性を向上させることができる。
【００２９】
（２）床部２２と基礎２１の立ち上がり部２１１の上部の台輪２１４との間には防蟻シート１１が設けられ、この防蟻シート１１の屋外側端部１１１は外壁部２３の外壁パネル２３０に固定されているため、外壁パネル２３０の下端、床部２２の半土台２４、床パネル２２０の台輪２１４との当接面を防蟻シート１１で覆うことができるので、床部２２への白蟻の侵入を確実に防止することができ、床部２２が保護される。
【００３０】
（３）防蟻シート１１の屋外側端部１１１を外壁部２３の外壁パネル２３０に固定しており、この外壁パネル２３０には、サイディング材２３２が固定されるため、防蟻シート１１に直接雨水があたることがなく、防蟻シート１１に含浸された薬剤が溶出することがなくなり、防蟻シート１１の効果の持続時間をより長く保つことができる。
【００３１】
（４）防蟻シート１１の屋内側端部１１２を床パネル２２０の面材２２５下面に固定することで、白蟻が屋内側の地面から基礎２１の立ち上がり部２１１をつたい床パネル２２０へ至る経路を遮断することができ、床部２２を白蟻から守ることができる。
【００３２】
（５）防蟻シート１１の屋外側端部１１１の上端は外壁パネル２３０に貼り付けられる防水透湿性のシート２３１で覆われており、この端部１１１と外壁パネル２３０との隙間から雨水が浸入することがなく、床部２２や外壁パネル２３０を雨水から保護することができる。
【００３３】
（６）水切り１２に防蟻用返し１２２が形成されているため、基礎２１の立ち上がり部２１１をつたって床部２２へ侵入しようとする白蟻はこの防蟻用折り返し１２２を越えて侵入することができず、床部２２を確実に白蟻から保護することができる。
【００３４】
（７）防蟻シート１１の屋外側端部１１１及び屋内側端部１１２を外壁パネル２３０または床パネル２２０に固定したため、立ち上がり部２１１に形成された通気孔２１５をふさいでしまうことがなく、床部２２の下方の空間の通気を損なうことがない。白蟻は湿っている木材を特に好んで加害するため、床部２２下方の空間の通気を確保することは防蟻において重要である。
【００３５】
次に、本発明の第二実施形態を図５から図８に基づいて説明する。ここで本実施形態中、第一実施形態と同一構成要素には同一符号を付して説明を省略もしくは簡単にする。
本実施形態に係る防蟻構造１Ｃは、図５に示すように、基礎２１の立ち上がり部２１１の屋外側にはみ出した防蟻シート１１の屋内側端部１１２が、床パネル２２０の枠体２２４下面に貼り付けられている点が、第一実施形態と異なる。
【００３６】
次に、図６から図８を用いて、本実施形態における防蟻構造１Ｃの施工方法について説明する。
まず、第一実施形態と同様に、予め基礎２１の立ち上がり部２１１に台輪２１４を載置しておき、防蟻シート１１にアンカーボルト２１３を貫通させ、立ち上がり部２１１の上面に防蟻シート１１を仮止めする。次に、立ち上がり部２１１の屋外側半分に半土台２４を設置する（図６（Ａ））。
さらに、立ち上がり部２１１の上面の屋内側半分に床パネル２２０を設置し、床部２２を形成する（図６（Ｂ））。
【００３７】
外壁部２３の外壁パネル２３０の芯材２３３にアンカーボルト２１３を貫通させ、外壁パネル２３０を床部２２の上部に設置する（図７（Ｃ））。
アンカーボルト２１３にナットを螺合して締め付け、外壁パネル２３０、床パネル２２０及び半土台２４を固定する。防蟻シート１１の屋外側端部１１１を立ち上げて外壁部２３に固定し釘打ちする。防蟻シート１１の屋内側端部１１２を立ち上げて床部２２の枠体２２４下面に貼り付ける（図７（Ｄ））。
【００３８】
外壁パネル２３０に防水透湿性のシート２３１を貼り付け、防蟻シート１１の屋外側端部１１１の上端を覆う（図８（Ｅ））。
さらに、防蟻シート１１の屋外側端部１１１の上端より下方に水切り１２を取り付ける。また、縦桟を防水透湿性のシート２３１を介して外壁パネル２３０に取り付け、最後に、この縦桟にサイディング材２３２を固定する（図８（Ｆ））。
従って、第二実施形態によれば、第一実施形態と同様の効果を奏することができる。
【００３９】
次に、本発明の参考例を図９に示す。ここで本参考例中、第一実施形態と同一構成要素には同一符号を付して説明を省略もしくは簡単にする。
この防蟻構造１Ａは、防蟻シート１１Ａの屋外側端部１１１Ａが外壁部２３の外壁パネル２３０に固定されており、第一実施形態の防蟻構造１と略同じ構造となっているが、防蟻シート１１Ａの屋内側端部１１２Ａが床部２２の下面に固定されていない点で防蟻構造１と異なっている。
【００４０】
防蟻構造１Ａの防蟻シート１１Ａは、その屋内側端部１１２Ａが立ち上がり部２１１の側面に密着しない程度の可撓性を有しており、立ち上がり部２１１の側面と屋内側端部１１２Ａとの間には隙間が形成されている。
【００４１】
従って、参考例によれば、第一実施形態の（１）から（３）、（５）、（６）の効果を奏することができるほか、以下の効果を奏することができる。
（８）防蟻シート１１Ａを立ち上がり部２１１の側面に密着しない程度の可撓性を有するものとしたため、屋内側端部１１２Ａを床部２２の下面に固定しなくても通気孔２１５を完全にふさいでしまうことがなく、床部２２下方の空間の通気を損ねることがない。
【００４２】
（９）防蟻シート１１の屋内側端部１１２Ａを床部２２に固定する作業が不要となるので、防蟻構造１Ａの施工に手間がかからない。
【００４３】
（１０）防蟻シート１１の屋内側端部１１２Ａは固定されていないため、風等のわずかな力が加わると屋内側端部１１２Ａは揺れ動く。白蟻は不安定に動きやすい箇所を通過することをさける習性があるので床部２２を白蟻から確実に守ることができる。
【００４４】
次に、本発明の第三実施形態を図１０に示す。ここで本実施形態中、第一実施形態と同一構成要素には同一符号を付して説明を省略もしくは簡単にする。
防蟻構造１Ｂは、第一実施形態の防蟻構造１と同様であるが、在来工法で構築された建物２Ｂに適用されている点で異なっている。
【００４５】
この建物２Ｂは基礎２１の立ち上がり部２１１の上に床部２２を構成する土台２４Ｂが設けられ、土台２４Ｂの上部に柱２３４及び間柱２３５が設置されている。柱２３４及び間柱２３５の屋外側の面にはシート２３１が貼り付けられ、このシート２３１の外側にはサイディング材２３２が設置されており、これにより外壁部２３が形成されている。
柱２３４には根太掛け２２１が設けられており、その上面に根太２２２及び床材２２３が配置される。従って、床部２２は土台２４Ｂ、根太２２２、床材２２３とを備えていることとなる。
防蟻シート１１は土台２４Ｂと基礎２１の立ち上がり部２１１との間に設置されており、屋外側端部１１１は柱２３４及び間柱２３５に貼り付けられ、固定されている。屋内側端部１１２は根太２２２の下面に固定されている。
【００４６】
次に、防蟻構造１Ｂの施工方法について説明する。
まず、基礎２１の立ち上がり部２１１に防蟻シート１１を仮止めする。次いで、土台２４Ｂを設置し、その上面に柱２３４及び間柱２３５を設ける。根太２２２を配置し、防蟻シート１１の屋内側端部１１２を固定する。
また、柱２３４及び間柱２３５に防蟻シート１１の屋外側端部１１１を固定する。最後に、防水透湿性のシート２３１及び水切り１２、さらにはサイディング材２３２を取り付ける。
従って、第三実施形態によれば、第一実施形態と同様の効果を奏することができるほか、以下の効果を奏することができる。
（１１）防蟻シート１１は土台２４Ｂに仮止めした後に、柱２３４や根太２２２を設けるため、土台２４Ｂ、根太２２２を基礎２１上に配設しながら防蟻シート１１を取り付ける必要がなく、在来工法により、建物を施工する場合においても防蟻シート１１の取り付けに手間を要しない。
【００４７】
次に、本発明の第四実施形態を図１１に示す。ここで本実施形態中、第三実施形態と同一構成要素には同一符号を付して説明を省略もしくは簡単にする。
防蟻構造１Ｄは、第三実施形態の防蟻構造１Ｂと同様であるが、在来工法で構築された建物２Ｃの構造が異なっている。すなわち、根太掛け２２１は、土台２４Ｂとともに、基礎２１の立ち上がり部２１１の上に配置されている。
従って、第四実施形態によれば、第三実施形態と同様の効果を奏することができる。
【００４８】
なお、本発明は前述の実施の形態に限定されるものではなく、本発明の目的を達成できる範囲での変形、改良等は本発明に含まれるものである。
例えば、防蟻シート１１、１１Ａの端縁間の長さ寸法は１００ｃｍ程度としたが、基礎２１の立ち上がり部２１１の側面間の寸法よりも大きい長さ寸法を有するものであればよく、第一、第二、第三、第四実施形態のように防蟻シート１１の屋内側端部１１２を床パネル２２０や根太２２２の下面に固定する場合は、固定可能な長さ寸法を有していればよい。
【００４９】
また、防蟻シート１１、１１Ａの屋外側端部１１１，１１１Ａはシート２３１で覆われているとしたが、この端部と外壁部２３の外壁パネル２３０との間に隙間が形成されないよう防蟻シートを貼り付けることができれば、この端部が覆われていなくてもよい。
【００５０】
さらに、水切り１２には防蟻用返し１２２が形成されているとしたが、防蟻用返し１２２が形成されていなくてもよい。ただし、防蟻用返し１２２が形成された水切り１２を取り付ければ、白蟻の侵入を確実に防止することができる。
また、水切りとは別体の防蟻用返しを取り付けてもよい。ただし、前記実施形態のように水切りに防蟻用返しを形成すれば部材点数の削減を図ることができ、施工作業にも手間を要しない。
【００５１】
前記実施形態では、防蟻シート１１，１１Ａにアンカーボルト２１３を貫通させることで防蟻シート１１，１１Ａを立ち上がり部２１１に仮止めするとしたが、他の方法、例えば、立ち上がり部２１１の上面に接着剤等で固定することにより仮止めを行ってもよい。
【００５２】
第一、第二実施形態および参考例では、立ち上がり部２１１の上部に台輪２１４を設置し、この上面と床部２２との間に防蟻シート１１，１１Ａを設けたが、台輪２１４を設置せず、立ち上がり部２１１の上面に直接防蟻シートを設けてもよい。
【００５３】
【発明の効果】
このような請求項１記載の発明によれば、防蟻シートを立ち上がり部の上面に仮止めした後に、床部を設けているため、土台、根太を基礎上に配設しながら防蟻シートを取り付ける必要がなく、防蟻シートの取り付けに手間を要しない。また、防蟻シートの屋外側端部を外壁部に固定することにより、外壁部の下端部及び床部の側面を防蟻シートで覆うことができるので、床部への白蟻の侵入を確実に防止することができ、床部が保護される。
さらに、防蟻シートの屋外側端部を外壁部、例えば、外壁下地材に固定し、外壁仕上げ材を設けることで、防蟻シートに直接雨水があたることがなくなるため、防蟻シートに含浸された薬剤が溶出することがなく、防蟻シートの効果の持続時間をより長く保つことができる。
【００５４】
また、防蟻シートの屋内側端部を床部の下面に固定することで、床部の端縁が防蟻シートで覆われ、白蟻が屋内側の地面から基礎の立ち上がり部をつたって床部へ至る経路を遮断することができ、床部を白蟻から守ることができる。
また、床部の側面及び床部の下面の一部を直接防蟻シートで覆うこととなるため、床部が確実に保護される。
【００５５】
また、防蟻シートの屋外側端部は防水性のシートで覆われているため、この端部と外壁部との隙間から雨水が浸入することがない。
また、防蟻用返しが形成されている水切りを取り付けるため、基礎の立ち上がり部をつたって床部へ侵入しようとする白蟻は、この防蟻用折り返しを越えて侵入することができず、床部をより確実に白蟻から保護することができる。
【００５６】
請求項２記載の発明によれば、防蟻シートの屋外側端部を前記外壁部に固定しているため、外壁の下端部及び床部の側面を防蟻シートで覆うことができるので、床部への白蟻の侵入を確実に防止することができ、床部が保護される。
さらに、防蟻シートの屋外側端部を外壁部、例えば、外壁下地材に固定し、外壁仕上げ材を設けることで、防蟻シートに直接雨水があたることがなくなるため、防蟻シートに含浸された薬剤が溶出することがなく、防蟻シートの効果の持続時間をより長く保つことができる。
【００５７】
また、防蟻シートの屋内側端部を床部の下面に固定することで、床部の端縁が防蟻シートで覆われ、白蟻が屋内側の地面から基礎の立ち上がり部をつたって床部へ至る経路を遮断することができ、床部を白蟻から守ることができる。
また、床部の側面及び床部の下面の一部を直接防蟻シートで覆うこととなるため、床部が確実に保護される。
【００５９】
また、防蟻シートの屋外側端部は防水性のシートで覆われているため、この端部と外壁部との隙間から雨水が浸入することがない。
また、水切りに防蟻用返しが形成されているため、基礎の立ち上がり部をつたって床部へ侵入しようとする白蟻はこの防蟻用折り返しを越えて侵入することができず、床部をより確実に白蟻から保護することができる。
【図面の簡単な説明】
【図１】  本発明第一実施形態にかかる防蟻構造を示す断面図である。
【図２】  前記実施形態にかかる防蟻構造の防蟻工法を示す断面図である。
【図３】  前記実施形態にかかる防蟻構造の防蟻工法を示す断面図である。
【図４】  前記実施形態にかかる防蟻構造の防蟻工法を示す断面図である。
【図５】  本発明第二実施形態にかかる防蟻構造を示す断面図である。
【図６】  前記実施形態にかかる防蟻構造の防蟻工法を示す断面図である。
【図７】  前記実施形態にかかる防蟻構造の防蟻工法を示す断面図である。
【図８】  前記実施形態にかかる防蟻構造の防蟻工法を示す断面図である。
【図９】  本発明の参考例にかかる防蟻構造を示す断面図である。
【図１０】  本発明の第三実施形態にかかる防蟻構造を示す断面図である。
【図１１】  本発明の第四実施形態にかかる防蟻構造を示す断面図である。
【符号の説明】
１，１Ａ，１Ｂ        防蟻構造
１１，１１Ａ          防蟻シート
１１１，１１１Ａ      屋外側端部
１１２，１１２Ａ      屋内側端部
１２                  水切り
１２２                防蟻用返し
２,２Ｂ               建物
２１                  基礎
２１１                立ち上がり部
２２                  床部
２３                  外壁部
２３１                シート
【図１】
0003813916.tif 000002
【図２】
0003813916.tif 000003
【図３】
0003813916.tif 000004
【図４】
0003813916.tif 000005
【図５】
0003813916.tif 000006
【図６】
0003813916.tif 000007
【図７】
0003813916.tif 000008
【図８】
0003813916.tif 000009
【図９】
0003813916.tif 000010
【図１０】
0003813916.tif 000011
【図１１】
0003813916.tif 000012